(57)【要約】      （修正有）【課題】簡単便利に筋肉のウエイトトレーニングを達成できる揺動式回転ダンベルを提供する。【解決手段】この揺動式回転ダンベルは、グリップロッド、グリップロッド内に挿入された軸棒、該軸棒の二端に枢設され少なくとも一つの翼部を具えた枢接ブロック、該枢接ブロックの翼部に固着された複数のベル板を包含し、該グリップロッド内の軸棒により枢接ブロックの翼部の二端のベル板が側方回転力を発生させられ、軸棒の軸受の回転が組み合わされて、該ベル板の重量を具えた翼部の枢接ブロックが、同期遠心回転現象を発生する。【選択図】図１
0003162498.tif 000002
【実用新案登録請求の範囲】
【請求項１】
揺動式回転ダンベルにおいて、
グリップロッド、
グリップロッド内に挿入された軸棒、
該軸棒の二端に枢設され少なくとも一つの翼部を具えた枢接ブロック、
該枢接ブロックの翼部に固着された複数のベル板、
を包含したことを特徴とする揺動式回転ダンベル。
【請求項２】
請求項１記載の揺動式回転ダンベルにおいて、該軸棒に二つの枢接部が設けられ、該枢接部が該軸棒の二端に設けられたことを特徴とする揺動式回転ダンベル。
【請求項３】
請求項２記載の揺動式回転ダンベルにおいて、該グリップロッドにさらに二つの接合部が設けられ、該接合部が該グリップロッドの二端に設置されたことを特徴とする揺動式回転ダンベル。
【請求項４】
請求項３記載の揺動式回転ダンベルにおいて、該グリップロッドがさらに二つの軸受スリーブを包含し、該軸受スリーブの一端に嵌合部が設けられて、該グリップロッドの接合部と嵌合固定され、該軸受スリーブの別端に収容部が設けられたことを特徴とする揺動式回転ダンベル。
【請求項５】
請求項４記載の揺動式回転ダンベルにおいて、該グリップロッドがさらに二つの軸受を包含し、該軸受が該軸棒の枢接部に嵌合され、並びに該軸受スリーブの収容部内に収容されたことを特徴とする揺動式回転ダンベル。
【請求項６】
請求項５記載の揺動式回転ダンベルにおいて、該枢接ブロックがさらに二つの枢接スリーブを包含し、該枢接スリーブが該枢接ブロックの一端に設置されて該軸棒の枢接部と結合されることを特徴とする揺動式回転ダンベル。
【請求項７】
請求項６記載の揺動式回転ダンベルにおいて、該枢接ブロックの翼部がさらに少なくとも一つの掛け孔を包含し、該掛け孔が該翼部上に設置されたことを特徴とする揺動式回転ダンベル。
【請求項８】
請求項７記載の揺動式回転ダンベルにおいて、該ベル板がさらに掛け部を包含し、該掛け部が該ベル板内側に設置されて、該枢接ブロックの掛け孔内に挿入されることを特徴とする揺動式回転ダンベル。
【請求項９】
請求項８記載の揺動式回転ダンベルにおいて、該枢接ブロックがさらに固定部品を包含し、該固定部品が該枢接ブロックを挿通し、該軸棒の枢接部を固定することを特徴とする揺動式回転ダンベル。
【請求項１０】
請求項９記載の揺動式回転ダンベルにおいて、該ベル板がさらに固定部品を包含し、該固定部品が該枢接ブロックの翼部を挿通し、ベル板を固定することを特徴とする揺動式回転ダンベル。
【考案の詳細な説明】
【技術分野】
【０００１】
本考案は回転可能なベル板を具えたダンベルに係り、特に一種のトレーニング効果を達成できる揺動式回転ダンベルに関する。
【背景技術】
【０００２】
周知のダンベル５０は、図５に示されるように、軸棒５１、複数のベル板５２を包含し、該軸棒５１の二端にネジ部５１１が設けられて、ベル板５２が軸棒５１の二端に嵌合され、ナット５１２が該ネジ部５１１に螺合されてベル板５２が固定される。
【考案の概要】
【考案が解決しようとする課題】
【０００３】
しかし、本考案者が発見したところによると、周知のダンベルは、軸棒、ベル板の組合せを利用してウエイトを調整できるが、ダンベルのベル板は単純に軸棒に組み合わされるだけであり、ダンベルの重量調整と上下のリフティング方式による使用に制限され、トレーニング過程が単調となりすぎ、トレーニングに対する興味を失わせ、且つ揺動式ダンベルを利用することによる筋肉トレーニングは行えない。このような従来の技術の問題に対して、本考案は解決を図るものである。
【課題を解決するための手段】
【０００４】
本考案の揺動式回転ダンベルは、グリップロッド、グリップロッド内に挿入された軸棒、該軸棒の二端に枢設され少なくとも一つの翼部を具えた枢接ブロック、該枢接ブロックの翼部に固着された複数のベル板を包含する。
【考案の効果】
【０００５】
本考案の揺動式回転ダンベルは、従来の技術と比較して、確実に以下の効果を達成する。
【０００６】
本考案の揺動式回転ダンベルは、グリップロッド内の軸棒により枢接ブロックの翼部の二端のベル板が側方回転力を発生させられ、軸棒の軸受の回転が組み合わされて、該ベル板の重量を具えた翼部の枢接ブロックが、同期遠心回転現象を発生し、簡単便利に筋肉のウエイトトレーニングを達成できる。
【０００７】
本考案の揺動式回転ダンベルは、枢接ブロックの翼部の掛け孔により、使用者がトレーニング負荷の必要に応じて、該ベル板の固定位置を調整し、該ダンベル回転揺動のベル板の重力を変更でき、これによりトレーニング多元化の目的を達成する。
【０００８】
本考案の揺動式回転ダンベルは、枢接ブロックの翼部の当接縁を利用して、ダンベル全体を安定して地面或いは台上に架設でき、使用者の便利性を高めることができる。
【図面の簡単な説明】
【０００９】
【図１】本考案の揺動式回転ダンベルの分解図である。
【図２】本考案の揺動式回転ダンベルの組合せ図である。
【図３】本考案の揺動式回転ダンベルの断面図である。
【図４】本考案の揺動式回転ダンベルの別の分解図である。
【図５】周知のダンベルの断面図である。
【考案を実施するための形態】
【００１０】
本考案の揺動式回転ダンベルは、
グリップロッド１であって、二つの接合部１１、二つの軸受スリーブ１２、二つの軸受１５を包含し、該グリップロッド１の二端にそれぞれ該接合部１１が設けられ、該軸受スリーブ１２の一端に、該グリップロッド１の接合部１１に嵌合される嵌合部１３が設けられ、各該軸受スリーブ１２の別端は収容部１４とされてそれぞれ該軸受１５が収容される、上記グリップロッド１と、
軸棒２であって、該グリップロッド１内に挿入され、該軸棒２の二端にそれぞれ枢接部２１が設けられ、該枢接部２１は該グリップロッド１の接合部１１を挿通し、該軸受１５に枢接される、上記軸棒２と、
枢接ブロック３であって、一端に該軸棒２に枢接スリーブ３１が設けられ、該枢接スリーブ３１が枢接部２１に嵌合され並びに固定部品３４で固定され、該枢接スリーブ３１の別端より少なくとも一つの翼部３２が延伸され、該翼部３２に少なくとも一つの掛け孔３３が設けられ、並びに掛け孔３３の下方に穿孔３５が設けられ、該枢接ブロック３の翼部３２の下縁に当接縁３６が設けられ、該当接縁３６の設置により、ダンベルが水平に安定して地面或いは台上に架設される、上記枢接ブロック３と、
複数のベル板４であって、内側のベル面に柱状の掛け部４１が設けられ、該枢接ブロック３の翼部３２の掛け孔３３内に挿入され、該掛け部４１の下方に固定孔４２が設けられて、固定部品４３が枢接ブロック３の穿孔３５に通された後に、該ベル板４の固定孔４２に固着される、上記ベル板４と、
を包含する。
【００１１】
図１から図３に示されるように、該揺動式回転ダンベルを組み立てる時、該軸受スリーブ１２の嵌合部１３がそれぞれ該グリップロッド１の接合部１１に嵌合され、軸棒２が該グリップロッド１内に挿通され、軸棒２の枢接部２１が軸受スリーブ１２の収容部１４の外縁より突伸し、軸受１５が軸受スリーブ１２の収容部１４内に置かれ、並びに軸棒２の枢接部２１と枢接され、これにより軸棒２とグリップロッド１が同期に対応する回転を発生可能とされる。さらに枢接ブロック３の枢接スリーブ３１が軸棒２の枢接部２１に嵌合され、並びに固定部品３４で固定され、ベル板４の掛け部４１が該枢接ブロック３の掛け孔３３内に置かれ、並びに固定部品４３が枢接ブロック３の穿孔３５をとおり、ベル４の固定孔４２に固定され、全体作動時の安全な組合せを具備するものとされる。
【００１２】
図２、３に示されるように、本考案の揺動式回転ダンベルを使用する時、使用者はトレーニング負荷の必要に応じて、該ベル板４と枢接ブロック３の掛け孔３３の固定位置を調整する。固定完成後に、使用者が手部で該グリップロッド１を握って、揺動式回転ダンベルを地面からある距離リフトすると、該枢接ブロック３のベル板４はグリップロッド１と水平落差を有し、且つ該ベル板４の重量を具えた枢接ブロック３は該軸受１５によりグリップロッド１において回転する。このとき、グリップロッド１を握り、円周運動を行うと、ベル板４が分力を発生し、該グリップロッド１内の軸棒２が枢接ブロック３の翼部３２の二端のベル板４に側方回転力を発生させ、同時に軸棒２の軸受１５の回転が組み合わされ、ベル板４重量を有する翼部３２の枢接ブロック３が、同期遠心回転現象を発生し、使用者のトレーニング効果を達成する。
【００１３】
また、図４に示されるように、本考案はさらに簡便とし軽量化するため、枢接ブロック３の翼部３２に単一の掛け孔３３と穿孔３５を設け、ベル板４を同期遠心回転機能を達成するほか、使用者が揺動回転させないときに、該ベル板４の重量負荷を変換できるようにし、これにより、本考案が一般のウエイトトレーニング用のダンベルとされることができ、多元化の目的を達成する。
【００１４】
総合すると、本考案の揺動式回転ダンベルは、グリップロッド内の軸棒により枢接ブロックの翼部の二端のベル板が側方回転力を発生させられ、軸棒の軸受の回転が組み合わされて、該ベル板の重量を具えた翼部の枢接ブロックが、同期遠心回転現象を発生し、簡単便利に筋肉のウエイトトレーニングを達成できる。
【００１５】
本考案の揺動式回転ダンベルは、その構成がその出願前に公開或いは使用されておらず、実用新案登録の要件を具備する。なお、以上の具体的実施例に運用された技術原理にもとづきなし得る細部の修飾或いは変更であって、本考案の明細書及び図面のカバーする精神より逸脱しないものは、いずれも本考案の範囲内に属するものとする。
【符号の説明】
【００１６】
１  グリップロッド            １１  接合部
１２  軸受スリーブ            １３  嵌合部
１４  収容部                  １５  軸受
２  軸棒                      ２１  枢接部
３  枢接ブロック              ３１  枢接スリーブ
３２  翼部                    ３３  掛け孔
３４  固定部品                ３５  穿孔
３６  当接縁                  ４    ベル板
４１  掛け部                  ４２  固定孔
４３  固定部品
５０  ダンベル                ５１  軸棒
５１１  ネジ部                ５１２  ナット
５２  ベル板
【図１】
0003162498.tif 000003
【図２】
0003162498.tif 000004
【図３】
0003162498.tif 000005
【図４】
0003162498.tif 000006
【図５】
0003162498.tif 000007